(57)【要約】【課題】歌唱者の歌唱を記録媒体に記録する等の曲演奏以外の予約操作を通常のカラオケ曲の予約と同じ操作で優先的に予約することができるカラオケ装置を提供する。【解決手段】  曲番号を入力する入力手段と、入力された曲番号を記憶する予約リストと、入力手段からカラオケ曲の曲番号が入力されたとき、この曲番号を前記予約リストの最下位に登録し、前記カラオケ曲に割り当てられていない特定の曲番号が入力されたとき、この曲番号を前記予約リストの最上位に登録する制御手段とを備える。これにより、カラオケ曲は予約順に演奏され、カラオケ曲ではないたとえば歌唱の録画等の予約の場合には、優先して実行される。【選択図】  図１
2007279772.tif 000002
【特許請求の範囲】
【請求項１】
カラオケ曲を演奏するための楽曲データを曲番号を付して記憶した記憶手段と、
曲番号を入力する入力手段と、
入力された曲番号を記憶する予約リストと、
予約リストに記憶されている曲番号を記憶順に読み出し、その曲番号で指定される楽曲データに基づいてカラオケ曲を演奏する演奏手段と、
入力手段から前記楽曲データの曲番号が入力されたとき、この曲番号を前記予約リストの最下位に登録し、前記カラオケ曲に割り当てられていない特定の曲番号が入力されたとき、この曲番号を前記予約リストの最上位に登録する制御手段と、
を備えたカラオケ装置。
【発明の詳細な説明】
【技術分野】
【０００１】
この発明は、歌唱者の歌唱を記録媒体に記録する等の曲演奏以外の予約操作を通常のカラオケ曲の予約と同じ操作で優先的に予約することができるカラオケ装置に関する。
【背景技術】
【０００２】
従来より、カラオケ曲の歌唱をシングルＣＤに記録することができるカラオケ装置が実用化されている。
【発明の開示】
【発明が解決しようとする課題】
【０００３】
カラオケの歌唱者が機械の操作に習熟しているとは限らないため、歌唱の記録装置は、操作が容易であることが望まれる。
【０００４】
この発明は、歌唱者の歌唱を記録媒体に記録する等の曲演奏以外の予約操作を通常のカラオケ曲の予約と同じ操作で優先的に予約することができるカラオケ装置を提供することを目的とする。
【課題を解決するための手段】
【０００５】
この発明は、カラオケ曲を演奏するための楽曲データを曲番号を付して記憶した記憶手段と、曲番号を入力する入力手段と、入力された曲番号を記憶する予約リストと、予約リストに記憶されている曲番号を記憶順に読み出し、その曲番号で指定される楽曲データに基づいてカラオケ曲を演奏する演奏手段と、入力手段から前記楽曲データの曲番号が入力されたとき、この曲番号を前記予約リストの最下位に登録し、前記カラオケ曲に割り当てられていない特定の曲番号が入力されたとき、この曲番号を前記予約リストの最上位に登録する制御手段と、を備えたことを特徴とする。  
この発明では、その曲番号で楽曲データ以外の処理動作が指定される場合、これを楽曲データに優先して予約リストに登録するようにしたことにより、カラオケ装置の利用者が所望する処理動作を待たせずに実行することができ、カラオケ装置の円滑な利用が可能になる。
【発明の効果】
【０００６】
この発明によれば、録画モードなどの特定の処理動作を指定する曲番号が入力されたときにこれを予約リストの最上位に登録することにより、利用者が所望の処理動作の選択操作が行われたときは、これを通常のカラオケ曲の演奏に先立ってすることができ、利用者の便宜に供することができる。
【発明を実施するための最良の形態】
【０００７】
図１はこの発明の実施形態であるカラオケ装置のブロック図、図２は同カラオケ装置の設置形態を示す図、図３は同カラオケ装置のビデオカメラの構成図、図４は同カラオケ装置に付属する赤外線リモコン装置であるコマンダの外観図である。このカラオケ装置は、ビデオカメラ６およびビデオＣＤレコーダ９を備えており、利用者がカラオケ曲を歌唱する姿をビデオＣＤに録画して提供することができる。この録画機能は、カラオケ装置を用いてカラオケ演奏以外の機能を実現するＩＣＭデータを用いて実現される。ＩＣＭデータは、実行すべき処理の手順を指示するスクリプトデータやこの手順実行時に使用される文字データや画像データを含んでおり、カラオケ演奏用の楽曲データと同様に、通信回線−通信制御部２６を介して配信センタからダウンロードされ、ハードディスク装置２７に記憶される。
【０００８】
また、このカラオケ装置において、カラオケ曲の選択は、コマンダ１５から６桁の曲番号「ＸＸＸＸ−ＹＹ」を入力することによって行われる。６桁の曲番号のうち、上位４桁のＸＸＸＸが歌手番号、下位２桁のＹＹがその歌手の歌手別歌番号になっている。歌手番号ＸＸＸＸのうち８０００の歌手番号はＩＣＭデータを指定する歌手番号になっており、８０００−ｙｙの曲番号を入力すると、カラオケ曲の演奏ではなく、その番号で指定されるＩＣＭデータが指定され、このＩＣＭデータによるカラオケ演奏以外の機能が実行される。
【０００９】
図１において、カラオケ装置全体の動作を制御するＣＰＵ２０には、バスを介してＲＯＭ２１，ＲＡＭ２２，ハードディスク装置２７，通信制御部２６，コマンダ受信部２３，操作部２４，表示部２５，音源２９，音声データ処理部３０，ＤＳＰ３１，文字パターン展開部３６，表示制御部３８，シリアルインタフェース４１が接続されているほか、外付けのＬＤチェンジャ４が接続されている。また、シリアルインタフェース４１にはビデオＣＤレコーダ９および課金装置１０が接続されている。
【００１０】
ＲＯＭ２１には、起動プログラムが記憶されている。ハードディスク記憶装置２７には、システムプログラム、カラオケ演奏プログラム、ＩＣＭ実行プログラム、ローダ、文字パターンデータ、および、約１万曲の楽曲データ、複数のＩＣＭデータが記憶されている。システムプログラムは、この装置の基本動作を制御するプログラムである。カラオケ演奏プログラムは、楽曲データを読み出してカラオケ演奏を実行するプログラムである。これらのプログラムはカラオケ装置が起動すると前記起動プログラムによって読み出され、ＲＡＭ２２に常駐する。
ＲＡＭ２２には、前記プログラムを記憶するプログラム記憶エリア、演奏するカラオケ曲の楽曲データをハードディスク記憶装置２７から読み出して記憶する演奏楽曲データ記憶エリア、実行するＩＣＭデータをハードディスク記憶装置２７から読み出して記憶する実行ＩＣＭデータ記憶エリア、および、コマンダ１５から入力された曲番号を順番に登録する予約リストが設定されている。
【００１１】
通信制御部２６は通信回線を介して配信センタと交信し、楽曲データやＩＣＭデータをダウンロードするための制御部である。通信制御部２６はＤＭＡ回路を内蔵しており、ダウンロードされた楽曲データやＩＣＭデータをＣＰＵ２０を介さずに直接ハードディスク記憶装置２７に書き込むことができる。このダウンロード動作は前記ローダプログラムによって制御される。
【００１２】
また、コマンダ１５は、図４に示すように種々のキー群５１〜５６、赤外線発光部５７およびＬＣＤ表示部５８を備えている。キー群はＡキー，Ｂキーを含むテンキー５１，メモリ／セットキー５２，スタートキー５３，転送キー５４，取り消しキー５５，キーコンキー５６からなっている。曲番号をカラオケ装置本体に入力する場合には、まず、テンキー５１を操作して曲番号を入力する。入力内容はＬＣＤ表示部５８に表示される。曲番号の入力ののち、メモリ／セットキー５２をオンして入力内容を確定し、転送キー５４をオンすると入力された曲番号が赤外線コード信号に変換され赤外線発光部５７からカラオケ装置本体１に転送される。コマンダ受信部２３は、この赤外線コード信号を受信してデータに復元し、このデータを予約リストに登録する。
【００１３】
また、図４において、スタートキー５３は、利用者からの指示を待ってカラオケ曲の演奏をスタートする単曲モード時に演奏スタートの指示を送信するキーである。取り消しキー５５は、カラオケ曲の演奏中にその曲の演奏を中止するためのキーである。また、キーコンキー５６はシーソー構造になっており、キーの右側が△キー５６ｂ、キーの左側が▽キー５６ａになっている。△キー５６ｂを１回オンすると演奏のキーが半音上昇する。また、▽キー５６ａを１回オンすると演奏のキーが半音低下する。
【００１４】
操作部２４はカラオケ装置のフロントパネルに設けられており、上記コマンダ１５と同様のテンキーなどのキースイッチ群を備えている。表示部２５も操作部２４と同様カラオケ装置のフロントパネルに設けられており、現在演奏中の曲番号や予約曲数などを表示するＬＥＤマトリクス表示器を含んでいる。
音源２９は、楽曲データに含まれる楽音データに基づいて楽音信号を形成する。音声データ処理部３０は、楽曲データに含まれる音声データに基づいてバックコーラスなどの音声信号を再生する。音源２９が形成した楽音信号および音声データ処理部３０が再生した音声信号はＤＳＰ３１に入力される。ＤＳＰ３１は、これら楽音信号および音声信号に対してリバーブ，エコーなどの効果を付与する。ＤＳＰ３１が付与する効果の種類や程度は、楽曲データに含まれているＤＳＰ制御データに基づいて制御される。効果が付与された楽音信号，音声信号はＤ／Ａコンバータ３２でカラオケ演奏音のアナログ信号に変換されたのちアンプ２に出力される。アンプにはマイク１１から歌唱音声信号も入力される。アンプ２はカラオケ演奏音と歌唱音声信号をミキシング・増幅してスピーカ３を駆動する。
【００１５】
文字パターン展開部３６は、楽曲データの歌詞トラックのデータに基づいて文字パターンを生成し表示制御部に出力する。ＬＤチェンジャ４は、楽曲データのヘッダに含まれるジャンルデータに基づいて選択された背景映像を再生する。再生された映像信号は表示制御部に出力される。表示制御部３８は前記背景映像上に歌詞の文字パターンを合成してモニタ７，８に表示する。一方、前記録画モード時には、背景映像に代えてビデオカメラ６で撮影された歌唱者の姿が表示される。
【００１６】
図２において、ビデオカメラ６はステージ１３の手前数メートルの位置に該ステージに向けて設置されている。また、歌唱用モニタ８もこのビデオカメラ６の視野に入らないようにステージ１３に向けて設置されている。なお、聴衆用の大型モニタ７はこれらビデオカメラ６，歌唱用モニタ８の裏側の客席に向けて設置されている。
【００１７】
図３において、カメラ本体６０は、マウント６５によって上下方向に旋回可能に支持されており、垂直旋回モータ６４によって上下方向に旋回駆動される。また、マウント６５は水平旋回モータ６３によって水平方向に旋回駆動される。水平旋回モータ６３および垂直旋回モータ６４は駆動制御部６６によって駆動制御される。水平旋回モータ６３および垂直旋回モータ６４を適当に駆動することにより、カメラ本体６０を任意の方向に向けることができる。また、カメラ本体６０に付属するレンズはＡＦ・ＡＥのズームレンズ６１であり、ズーミングおよびフォーカシングはレンズ駆動モータ６２が行う。レンズ駆動モータ６２の駆動制御も駆動制御部６６が行う。このカメラの旋回やズーミングの制御は、楽曲データに含まれているカメラ制御トラックのデータに基づいて行われる。
【００１８】
シリアルインタフェース４１は、ＲＳ２３２Ｃなどの規格のものであり、カラオケ装置本体は、このシリアルインタフェース４１を介してビデオＣＤレコーダ９および課金装置１０とデータを交換する。ビデオＣＤレコーダ９，課金装置１０はともにカラオケ装置本体１やＬＤチェンジャ４などとともに縦積みのラックに収納されている。課金装置１０はコインチェッカ４４，クレジットカウンタ４５および表示器４６を有している。コインチェッカ４４は投入されたコインが真貨であるか否かを判定し、真貨であればクレジットカウンタ４５にカウントアップを指示する装置である。コインとしては、通常の貨幣、専用のコインなどを用いることができるが、ビデオＣＤの録画機能は１０００円程度の課金サービスとして提供されるためこの課金装置１０が取り扱うコインは５００円硬貨が適当である。クレジットカウンタ４５はコインチェッカ４４からの指示に基づいてカウント値を加算し、カラオケ装置本体のＣＰＵ２０からの指示に基づいてカウント値を減算または加算する。表示器４６は現在のクレジット数を表示するためのものであり、２桁程度の７セグメント表示器で構成されている。
【００１９】
図５は楽曲データおよびＩＣＭデータの構成例を示す図である。同図（Ａ）は楽曲データ全体の構成を示している。楽曲データは、ヘッダ，楽音トラック，歌詞トラック，音声制御トラック，ＤＳＰ制御トラック，カメラ制御トラックおよび音声データ部からなっている。ヘッダは、この楽曲データに関する種々のデータが書き込まれる部分であり、曲名，ジャンル，発売日，曲の演奏時間などのデータを含んでいる。
【００２０】
楽音トラック，歌詞トラック，音声制御トラック，ＤＳＰ制御トラックの各トラックは全てＭＩＤＩフォーマットで記述されている。ＭＩＤＩフォーマットは、複数のイベントデータと各イベントデータ間の時間間隔を示すデュレーションデータΔｔからなっている。シーケンスプログラムは、所定のテンポクロックでΔｔをカウントし、Δｔをカウントアップしたときこれに続くイベントデータを読み出して所定の処理部へ出力する。
楽音トラックは、メロディトラック，リズムトラックを初めとして種々のパートのトラックを含んでいる。楽音トラックのイベントデータは楽音の発音や楽音の消音などを指示するノートオンイベントデータやノートオフイベントデータなどで構成されている。
【００２１】
歌詞トラックは、モニタ７，８上に歌詞を表示するためのシーケンスデータを記憶したトラックである。このシーケンスデータは楽音データではないが、インプリメンテーションの統一をとり、作業工程を容易にするためこのトラックもＭＩＤＩデータ形式のシステム・エクスクルーシブ・メッセージで記述されている。音声制御トラックは、音声データ部に記憶されている音声データの発生タイミングや再生ピッチなどを指定するシーケンストラックである。音声データ部には、音源２９で合成しにくいバックコーラスやハーモニー歌唱などの人声が記憶されている。ＤＳＰ制御トラックには、ＤＳＰ３１の動作を制御するＤＳＰ制御データがデュレーションデータとともに書き込まれている。
【００２２】
また、カメラ制御トラックには、該カラオケ曲の振り付けに応じて、所定のタイミングにカメラ６をパンニングやズーミングするイベントデータが書き込まれている。録画モードのカラオケ曲演奏時にこのデータが読み出され、読み出されたイベントデータは駆動制御データとしてカメラ６に出力される。
【００２３】
同図（Ｂ）はＩＣＭデータの構成を示す図である。ＩＣＭデータも上記楽曲データと類似した構成になっており、このＩＣＭデータの名称，リリース日などのデータが書き込まれるヘッダ、動作手順を指示する複数のスクリプトデータ、および、該スクリプトの実行時に使用される複数の画像データ，文字データなどからなっている。
【００２４】
図６〜図８は、同カラオケ装置の動作を示すフローチャートである。
図６は曲予約動作を示すフローチャートである。コマンダ１５から曲番号が入力されると（ｓ１）、この曲番号が録画モードＩＣＭデータなどのＩＣＭデータを指定する曲番号であるかを判断する（ｓ２）。ＩＣＭデータを指定する曲番号の場合には予約リストの最上位にこれを登録し、現在演奏中のカラオケ曲の次にこれが実行されるようにする（ｓ３）。一方、通常のカラオケ曲の曲番号であった場合には予約リストの最下位にこれを登録する（ｓ４）。なお、現在カラオケ曲が演奏されていない場合には、この曲番号が入力されたＩＣＭデータまたはカラオケ曲が即座に実行される。
【００２５】
図７は予約実行動作を示すフローチャートである。この動作は先のカラオケ曲の演奏が終了したとき実行される動作である。まず予約リストに登録されている曲番号があるか否かを判断する（ｓ１０）。登録されている曲番号がない場合には曲間ＣＭ上映動作を実行する。この曲間ＣＭはＩＣＭデータによって実行されるものであり、リクエストベスト２０やイベント情報などを表示するものである。曲番号が予約リストに登録されている場合には、そのうち最上位のものを読み出し（ｓ１１）、これがＩＣＭデータを指定する曲番号であるか否かを判断する（ｓ１２）。ＩＣＭデータを指定する曲番号であった場合にはこれが録画モードＩＣＭデータを指定する曲番号であるかを判断する（ｓ１３）。録画モードＩＣＭデータを指定する曲番号であった場合には図８の録画モード動作を実行する（ｓ１４）。また、他のＩＣＭデータを指定する曲番号であった場合には対応する処理に進む。また、読み出された曲番号が通常の楽曲データを指定する曲番号であった場合にはその曲の楽曲データを読み出して通常のカラオケ演奏処理動作を実行する（ｓ１５）。
【００２６】
図８は、録画モード処理動作を示すフローチャートである。予約リストから録画モードＩＣＭデータの曲番号が読み出されるとこの動作が実行される。まず、録画モードＩＣＭデータをＲＡＭ２２に読み出し（ｓ２０）、この録画モードＩＣＭデータに含まれているスクリプトデータや画像データに基づいて以下の動作を実行する（ｓ２１）。まず、図９（Ａ）に示す案内画面を表示する。この案内画面ではこのサービスは課金サービスである旨を表示している。そして、利用者がこれに対応してＯＫをした場合には（ｓ２２）、課金処理動作（ｓ２３）に進む。課金処理動作（ｓ２３）は、課金装置１０と交信して所定金額のコインが投入されたことを確認し、この金額をクレジット数から減算する処理である。この課金処理が完了すると（ｓ２４）、この録画モードのための選曲を受け付ける（ｓ２５）。課金サービスに対してＯＫ入力が無かった場合（ｓ２２）、課金が正常に完了しなかった場合（ｓ２４）にはそのままこの録画モード動作を終了する。
【００２７】
この録画モードのためのカラオケ曲が選曲されると（ｓ２５）、この選択された楽曲データをハードディスク記憶装置２７からＲＡＭ２２に読み出し（ｓ２６）、カメラ６で撮影した歌唱者の姿にカラオケ曲のタイトルを合成してスタート画面を表示して動作を一旦停止する（ｓ２７：図９（Ｂ）参照）。歌唱者はこのスタート画面を見て、自分の立つ位置や姿勢，服装などをチェックしたのちスタートキー５３をオンすると演奏がスタートする（ｓ２８）。なお、このスタート指示はコマンダ１５のスタートキー５３を用いているがステージの床面にフットスイッチを設けて歌唱者が足で操作できるようにしてもよい。また、コマンダ１５を操作しなくても一定時間（５秒程度）が経過すると自動的にカラオケ曲の演奏がスタートする（ｓ２９）。ｓ３０ではビデオＣＤレコーダ９の録画動作をスタートし、同時にカラオケ曲の演奏動作をスタートする（ｓ３１）。カラオケ曲の演奏動作は、テンポクロックに合わせて楽曲データの各トラックのイベントデータを読み出し（ｓ３２）、音源装置２９や文字パターン展開部３６などの各処理部にこのデータを出力する動作であるが、この楽曲データにカメラ制御トラックが含まれていることを確認し（ｓ３４）、このトラックから読み出された制御データ（カメラ制御データ）をビデオカメラ６の駆動制御部６６に出力する（ｓ３５）。これによって、ビデオカメラ６は歌唱者が所定の振り付けで踊りながら歌っているのに合わせて方向やズーミングが制御される。ｓ３２〜ｓ３５の動作を曲が終了するまで継続し（ｓ３６）、曲が終了するとビデオＣＤレコーダ９の録画動作を停止する（ｓ３７）。そして、モニタ７，８に今録画した映像を再生するかの選択を受け付け（ｓ３８）、再生する旨の入力があれば録画済の映像を再生して表示制御部３８を介してモニタ７，８に表示する（ｓ３９）。再生したのち、このビデオＣＤを排出して（ｓ４０）、録画モードの動作を終了する。ｓ３８において再生しない旨が選択された場合には、ｓ４０に進み記録したビデオＣＤを排出してこの動作を終了する。なお、映像の再生中に取り消しキー５５がオンされると、その再生を中止してｓ４０に進むものとする。
【００２８】
この実施形態において、記録媒体をビデオＣＤとしたが、記録媒体はこれに限定されない。たとえば、ＶＨＳや８ｍｍなどのビデオカセット、ＤＶＤディスクなどを適用することができる。
【００２９】
また、上記実施形態では曲に合わせてビデオカメラ６のズーミングやパンニングを制御しているが、同時に照明装置などの効果を制御するようにしてもよい。
【００３０】
また、古い楽曲データにはカメラ制御トラックが含まれないものもあるが、この場合にはビデオカメラ６は前方に固定しておくようにすればよい。また、録画モードＩＣＭデータに汎用のカメラ制御データを記録しておいて、これに基づいてビデオカメラ６を制御するようにしてもよい。
【図面の簡単な説明】
【００３１】
【図１】この発明の実施形態であるカラオケ装置のブロック図
【図２】同カラオケ装置のモニタおよびビデオカメラの設置形態を示す図
【図３】同カラオケ装置に付属するコマンダの外観図
【図４】同カラオケ装置のビデオカメラの構成図
【図５】同カラオケ装置で使用される楽曲データおよびＩＣＭデータの構成を示す図
【図６】同カラオケ装置の予約登録動作を示すフローチャート
【図７】同カラオケ装置の予約リスト処理動作を示すフローチャート
【図８】同カラオケ装置の録画モード動作を示すフローチャート
【図９】同カラオケ装置の録画モード時の案内表示の例を示す図
【符号の説明】
【００３２】
１…カラオケ装置本体、２…アンプ、３…スピーカ、４…ＬＤチェンジャ、
６…ビデオカメラ、７，８…モニタ、９…ビデオＣＤレコーダ、
１０…課金装置、１５…コマンダ、
２７…ハードディスク記憶装置
【図１】
2007279772.tif 000003
【図２】
2007279772.tif 000004
【図３】
2007279772.tif 000005
【図４】
2007279772.tif 000006
【図５】
2007279772.tif 000007
【図６】
2007279772.tif 000008
【図７】
2007279772.tif 000009
【図８】
2007279772.tif 000010
【図９】
2007279772.tif 000011